【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
光源と、ねじり梁によって支持され、かつ前記光源からの光ビームを偏向して主走査領域を往復走査する振動ミラーと、該振動ミラーによって走査された光ビームを被走査面にスポット状に集光する光学系とを備えた光走査装置において、
前記振動ミラーに対する前記光ビームの入射位置を主走査方向において調整するビーム入射位置調整手段を備え、前記主走査領域の両端における前記光ビームのスポット径が略一致するように前記入射位置を調整可能にしたことを特徴とする光走査装置。
【請求項２】
前記ビーム入射位置調整手段は、前記光源の主走査方向における角度を調整する光源角度調整部材を備えてなることを特徴とする請求項１記載の光走査装置。
【請求項３】
前記振動ミラーにより走査された光ビームを検出して、前記振動ミラーの振幅θｏを制御する振動ミラー駆動手段を備え、前記主走査領域の走査時間が一定となるように前記振幅θｏを制御することを特徴とする請求項１または２記載の光走査装置。
【請求項４】
前記主走査領域の各端に対応した振動ミラーの振れ角をθｄ、前記光源から前記振動ミラーに入射する光ビームの光軸と前記光学系の光軸とのなす角度をαとした場合、θｏ＞α／２＞θｄなる関係であるように設定したことを特徴とする請求項１〜３いずれか１項記載の光走査装置。
【請求項５】
前記主走査領域の各端に対応した前記振動ミラーの振れ角θｄは、θｄ／θｏ≦０．６なる関係であるように設定したことを特徴とする請求項４記載の光走査装置。
【請求項６】
前記光源は、複数の光源を備え、共通の前記振動ミラーによって各光ビームに対応した複数の主走査領域を走査することを特徴とする請求項１記載の光走査装置。
【請求項７】
前記光源は、前記往復走査のいずれか一方向において、画像情報に応じて前記光ビームを変調することを特徴とする請求項１記載の光走査装置。
【請求項８】
請求項１乃至７のいずれか１項記載の光走査装置を搭載し、光源からの光ビームを偏向して主走査領域を走査する振動ミラーを備え、該振動ミラーを所定の走査周波数により駆動し、画像情報に応じて光源を変調して感光体上に静電像を形成し、該静電像をトナーにより顕像化して記録媒体に転写し、画像を形成するように構成したことを特徴とする画像形成装置。
【手続補正２】
【補正対象書類名】明細書
【補正対象項目名】発明の名称
【補正方法】変更
【補正の内容】
【発明の名称】光走査装置ならびに画像形成装置
【手続補正３】
【補正対象書類名】明細書
【補正対象項目名】０００１
【補正方法】変更
【補正の内容】
【０００１】
本発明は、光走査装置、およびその光走査装置を搭載する画像形成装置に関するものである。
【手続補正４】
【補正対象書類名】明細書
【補正対象項目名】００１３
【補正方法】変更
【補正の内容】
【００１３】
本発明は、前記従来の技術の課題を解決し、光束の走査面上でのビームスポットを小径に絞り、高品位な画像形成が行える光走査装置，画像形成装置を提供することを目的とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
前記目的を達成するため、請求項１に記載の発明は、光源と、ねじり梁によって支持され、かつ前記光源からの光ビームを偏向して主走査領域を往復走査する振動ミラーと、該振動ミラーによって走査された光ビームを被走査面にスポット状に集光する光学系とを備えた光走査装置において、前記振動ミラーに対する前記光ビームの入射位置を主走査方向において調整するビーム入射位置調整手段を備え、前記主走査領域の両端における前記光ビームのスポット径が略一致するように前記入射位置を調整可能にしたことを特徴とし、この構成によって、主走査領域の両端のビームスポット径が略一致し、走査領域全体にわたってビームスポット径を均一に揃えることができ、また、ビームスポット径の小径化も図ることができるため、高精度で良好な光走査が可能になる。
【手続補正７】
【補正対象書類名】明細書
【補正対象項目名】００１６
【補正方法】変更
【補正の内容】
【００１６】
請求項２に記載の発明は、請求項１記載の光走査装置において、ビーム入射位置調整手段は、光源の主走査方向における角度を調整する光源角度調整部材を備えてなることを特徴とし、この構成によって、振動ミラー前の光学系における取付，加工公差による光学性能の劣化を吸収するように調整することができ、高精度の光走査が可能になる。
【手続補正８】
【補正対象書類名】明細書
【補正対象項目名】００１７
【補正方法】変更
【補正の内容】
【００１７】
請求項３に記載の発明は、請求項１または２記載の光走査装置において、振動ミラーにより走査された光ビームを検出して、振動ミラーの振幅θｏを制御する振動ミラー駆動手段を備え、主走査領域の走査時間が一定となるように前記振幅θｏを制御することを特徴とし、この構成によって、主走査領域の走査時間，振動ミラーの振幅が一定となり、走査対象の主走査領域における倍率偏差などによる品質の劣化を抑えることができる。
【手続補正９】
【補正対象書類名】明細書
【補正対象項目名】００１８
【補正方法】変更
【補正の内容】
【００１８】
請求項４に記載の発明は、請求項１〜３いずれか１項記載の光走査装置において、主走査領域の各端に対応した振動ミラーの振れ角をθｄ、光源から振動ミラーに入射する光ビームの光軸と光学系の光軸とのなす角度をαとした場合、θｏ＞α／２＞θｄなる関係であるように設定したことを特徴とし、この構成によって、入射光束が、振動ミラー後の光学系に影響を及ぼすことなく、光束の反射面でのケラレの発生を抑えることができるので、振動ミラーの反射面における光束の主走査方向の幅を広く、つまり、走査面上でのビームスポット径を小さくし、高精度の光走査が可能になる。
【手続補正１０】
【補正対象書類名】明細書
【補正対象項目名】００１９
【補正方法】変更
【補正の内容】
【００１９】
請求項５に記載の発明は、請求項４記載の光走査装置において、主走査領域の各端に対応した振動ミラーの振れ角θｄは、θｄ／θｏ≦０．６なる関係であるように設定したことを特徴とし、この構成によって、振動ミラーの角度の時間特性が、比較的線形性を持つ領域、すなわち、θｄ／θｏ≦０．６の範囲にて光走査を行うため、f・arcsinレンズを用いることによるビームスポット径の太りを抑えることができる。
【手続補正１１】
【補正対象書類名】明細書
【補正対象項目名】００２０
【補正方法】変更
【補正の内容】
【００２０】
請求項６に記載の発明は、請求項１記載の光走査装置において、光源は、複数の光源を備え、共通の振動ミラーによって各光ビームに対応した複数の主走査領域を走査することを特徴とし、この構成によって、１枚の振動ミラーにより複数の走査領域を走査することができるため、低コスト化を図れると共に、複数の振動ミラーを用いる際に必要不可欠となる共振振動数の合わせこみが不要となり、製造工程の短縮化を図ることができる。
【手続補正１２】
【補正対象書類名】明細書
【補正対象項目名】００２１
【補正方法】変更
【補正の内容】
【００２１】
請求項７に記載の発明は、請求項１記載の光走査装置において、光源は、往復走査のいずれか一方向において、画像情報に応じて光ビームを変調することを特徴とし、この構成によって、縦線ゆらぎなどによる光走査の精度劣化を抑えることができる。
【手続補正１３】
【補正対象書類名】明細書
【補正対象項目名】００２２
【補正方法】変更
【補正の内容】
【００２２】
請求項８に記載の画像形成装置に係る発明は、請求項１乃至７のいずれか１項記載の光走査装置を搭載し、光源からの光ビームを偏向して主走査領域を走査する振動ミラーを備え、該振動ミラーを所定の走査周波数により駆動し、画像情報に応じて光源を変調して感光体上に静電像を形成し、該静電像をトナーにより顕像化して記録媒体に転写し、画像を形成するように構成したことを特徴とし、この構成によって、振動ミラーの反射面で反射された光束の波面収差の劣化を低減し、ビームスポットを小径に絞ることができるため、高品位な画像形成が行える画像形成装置が実現する。
【手続補正１４】
【補正対象書類名】明細書
【補正対象項目名】００２３
【補正方法】削除
【補正の内容】